(57)【要約】【課題】  ロックオンの解除を簡単且つ確実に行えるようにして使い勝手を向上させる。【解決手段】  スイッチレバー５に、スイッチレバー５から出没可能なロックプレート８と、スライド操作でロックプレート８を突出させるロックオンスイッチ９とを設けると共に、夫々コイルバネ１０，１１によって両者を下限位置に付勢し、スイッチレバー５を押し込んだ状態でロックオンスイッチ９をスライド操作してロックプレート８を突出させることで、上端の係合部１３をハウジング２の突条２２に係合させてロックオン状態を得るようにした。このロックオン状態では、ロックオンスイッチ９のみがコイルバネ１１により下限位置へ復帰するため、スイッチレバー５をさらに押し込むと、ロックオンスイッチ９に関係なくロックプレート８が突条２２との係合を解除して下限位置に復帰する。【選択図】  図２
2005169588.tif 000002
【特許請求の範囲】
【請求項１】
モータを内蔵したハウジングに、押込み操作によって前記ハウジングに内蔵したモータを駆動させるスイッチ部材を、前記ハウジングからの突出位置に付勢して設けた電動工具であって、
前記スイッチ部材に、前記スイッチ部材の押込み方向と交差する方向で前記スイッチ部材から出没可能なロック部材と、前記スイッチ部材の表面側で露出し、前記ロック部材を突出させる押圧位置と、前記ロック部材の没入を許容する押圧解除位置との間でスライド可能な操作部材と、前記ロック部材を没入位置へ、前記操作部材を押圧解除位置へ夫々付勢する個別の付勢手段とを設ける一方、
前記ハウジング側に、前記スイッチ部材の第１の押込み位置で突出したロック部材が係合可能で、前記第１の押込み位置よりも深い第２の押込み位置で前記ロック部材が離脱可能な被係合部を設けて、
前記スイッチ部材の第１の押込み位置で前記操作部材を前記押圧位置へスライドさせることで、前記ロック部材を突出させて前記被係合部と係合させ、前記スイッチ部材を前記第１の押込み位置で保持可能とする一方、その保持状態では、前記操作部材のみを単独で前記押圧解除位置へ復帰可能としたことを特徴とする電動工具。
【請求項２】
モータを内蔵したハウジングに、押込み操作によって前記ハウジングに内蔵したモータを駆動させるスイッチ部材を、前記ハウジングからの突出位置に付勢して設けた電動工具であって、
前記スイッチ部材に、前記スイッチ部材の押込み方向と交差する方向で前記スイッチ部材から出没可能なロック部材と、前記スイッチ部材の表面側で露出し、前記ロック部材を突出させる押圧位置と、前記ロック部材の没入を許容する押圧解除位置との間でスライド可能な操作部材と、前記ロック部材を没入位置へ、前記操作部材を押圧解除位置へ夫々付勢する個別の付勢手段とを設けると共に、前記ロック部材の付勢手段の付勢力を、前記スイッチ部材を突出付勢する付勢力よりも小さく設定して、
前記スイッチ部材の所定の押込み位置で前記操作部材を前記押圧位置へスライドさせることで、前記ロック部材を突出させて前記ハウジングの内面と当接させ、前記スイッチ部材を前記押込み位置で保持可能とする一方、その保持状態では、前記操作部材のみを単独で前記押圧解除位置へ復帰可能としたことを特徴とする電動工具。
【発明の詳細な説明】
【技術分野】
【０００１】
本発明は、モータを駆動させるスイッチ部材のＯＮ状態を保持できる、いわゆるロックオンが可能な電動工具に関する。
【背景技術】
【０００２】
電動工具には、スイッチレバー等のスイッチ部材の押込み操作によってハウジング内部に設けたスイッチをＯＮさせ、スイッチ部材の押込み解除によってスイッチをＯＦＦさせるものが知られている。特に、電動工具の連続使用に係る使い勝手を向上させるために、スイッチ部材を押込み位置で保持できる、いわゆるロックオン状態が得られるようにしたものもある。このようなロックオン構造として、例えば特許文献１には、ハウジング側に、ハウジング内への押込みによりスイッチレバーの押込み位置で係合してスイッチレバーの戻りを阻止するロックオンボタンを設ける構造が開示されている。また、スイッチレバー自体に、スイッチレバーの押込み位置でのスライド操作でハウジング側と係合してスイッチレバーの戻りを阻止するロックオンスイッチを設けた構造も良く用いられている。
【０００３】
【特許文献１】特開２００２−３３０３１号公報
【発明の開示】
【発明が解決しようとする課題】
【０００４】
このような電動工具では、ロックオン状態のスイッチレバーを一旦ハウジング側へさらに押し込むことで、ロックオンボタンやロックオンスイッチの係合が解かれてスイッチレバーが突出位置へ復帰し、ロックオンが解除されるようになっている。しかし、スイッチレバーにロックオンスイッチを併設したものにおいては、ロックオンスイッチを一緒に押さえた状態でスイッチレバーを押し込んでしまうおそれがあるため、この状態でスイッチレバーを押し込んでもロックオンスイッチが移動できず、ハウジング側との係合が解かれない場合がある。よって、ロックオンを必要なタイミングで解除できず、被加工材を傷付けたり、余計な加工を行ったりして使い勝手を損なってしまう。
【０００５】
そこで、請求項１及び２に記載の発明は、スイッチ部材にロックオン用の操作部材を併設したものにおいて、ロックオンの解除が簡単且つ確実に行え、使い勝手に優れる電動工具を提供することを目的としたものである。
【課題を解決するための手段】
【０００６】
上記目的を達成するために、請求項１に記載の第１発明は、スイッチ部材に、スイッチ部材の押込み方向と交差する方向でスイッチ部材から出没可能なロック部材と、スイッチ部材の表面側で露出し、ロック部材を突出させる押圧位置と、ロック部材の没入を許容する押圧解除位置との間でスライド可能な操作部材と、ロック部材を没入位置へ、操作部材を押圧解除位置へ夫々付勢する個別の付勢手段とを設ける一方、ハウジング側に、スイッチ部材の第１の押込み位置で突出したロック部材が係合可能で、第１の押込み位置よりも深い第２の押込み位置でロック部材が離脱可能な被係合部を設けて、スイッチ部材の第１の押込み位置で操作部材を押圧位置へスライドさせることで、ロック部材を突出させて被係合部と係合させ、スイッチ部材を第１の押込み位置で保持可能とする一方、その保持状態では、操作部材のみを単独で押圧解除位置へ復帰可能としたことを特徴とするものである。
【０００７】
上記目的を達成するために、請求項２に記載の第２発明は、スイッチ部材に、スイッチ部材の押込み方向と交差する方向でスイッチ部材から出没可能なロック部材と、スイッチ部材の表面側で露出し、ロック部材を突出させる押圧位置と、ロック部材の没入を許容する押圧解除位置との間でスライド可能な操作部材と、ロック部材を没入位置へ、操作部材を押圧解除位置へ夫々付勢する個別の付勢手段とを設けると共に、ロック部材の付勢手段の付勢力を、スイッチ部材を突出付勢する付勢力よりも小さく設定して、スイッチ部材の所定の押込み位置で操作部材を押圧位置へスライドさせることで、ロック部材を突出させてハウジングの内面と当接させ、スイッチ部材を押込み位置で保持可能とする一方、その保持状態では、操作部材のみを単独で押圧解除位置へ復帰可能としたことを特徴とするものである。
【発明の効果】
【０００８】
請求項１及び２に記載の発明によれば、操作部材を操作したり、その位置を気にしたりする必要がなく、スイッチ部材の押込みによってロックオンを簡単に解除できる。よって、所望のタイミングで加工を確実に停止でき、使い勝手に優れる。
【発明を実施するための最良の形態】
【０００９】
以下、本発明の実施の形態を図面に基づいて説明する。
《形態１》
まず、第１発明の実施の形態を説明する。図１は、電動工具の一例であるアングルドリルの全体図を示すもので、アングルドリル１は、筒状のハウジング２内に、図示しないモータを内蔵し、上端には、先端にチャックを備えたスピンドル３が、モータの出力軸と直交状に軸支されて、モータとの間に設けたベベルギヤ等の減速機構によって、出力軸の回転を直交方向に出力可能となっている。
一方、ハウジング２の下方でスピンドル３の突出側の側面には、ハウジング２に沿って縦長の開口部４が形成されており、その開口部４には、下端がハウジング２の下端に枢着されたスイッチ部材としてのスイッチレバー５が、開口部４を閉塞する格好で設けられている。このスイッチレバー５は、短手方向の横断面がコ字状となって開口部４側が開口される中空棒状を呈し、ハウジング２側へ押込み操作すると、枢着軸６を中心にして図１で左回転し、内側に軸着されたリンク７がハウジング２内に設けられた図示しないスイッチのプランジャを押し込んでスイッチをＯＮさせる。逆にスイッチレバー５の押込みを解除すると、プランジャの突出付勢によって右回転し、図１の突出位置へ復帰するようになっている。
【００１０】
また、スイッチレバー５の上端部には、ロックオン機構が設けられている。このロックオン機構は、図２にも示すように、スイッチレバー５の内部でスイッチレバー５に沿ってスライド可能に設けられたロック部材としてのロックプレート８と、そのロックプレート８の下方にあって、スイッチレバー５の表面でスイッチレバー５に沿ってスライド可能に設けられた操作部材としてのロックオンスイッチ９と、そのロックプレート８とロックオンスイッチ９とを夫々下方へ付勢する付勢手段としてのコイルバネ１０，１１とから構成されている。
【００１１】
まず、ロックプレート８は、上端に、スイッチレバー５の上端開口際に形成されたスリット１２を通過可能で、外側に返しを突設した係合部１３を有し、中間部には、スイッチレバー５内を横切る格好でバネ受部１４を直交状に突設して、このバネ受部１４とスイッチレバー５の上端内面との間にコイルバネ１０を介在させている（図３（Ａ））。一方、バネ受部１４の下方でスイッチレバー５の内面には、板状のストッパ１５が突設されている。よって、ロックプレート８は、常態ではバネ受部１４がストッパ１５の上端に当接する図１，２の下限位置へ付勢され、この下限位置では、上端の係合部１３はスイッチレバー５内に没入してその上面から突出しないようになっている。１８，１８は、スイッチレバー５の上端内面でコイルバネ１０の左右に立設され、コイルバネ１０の位置決めを行う規制片である。
また、ロックプレート８の下方部には、ストッパ１５を挟むように一対の延設片１６，１６がストッパ１５と平行に形成され、その延設片１６，１６の下端には、スイッチレバー５の内面に沿う格好で四角枠状の連結板１７が一体に形成されている。
【００１２】
次に、ロックオンスイッチ９は、図３（Ｂ）にも示すように、スイッチレバー５の表面に露出する四角板状の操作部１９と、その操作部１９の裏面から直交状に突設され、スイッチレバー５に穿設した角孔２０と、ロックプレート８の連結板１７とを貫通してスイッチレバー５内へ伸びる一対のバネ受片２１，２１とからなる。このバネ受片２１，２１と上方のストッパ１５との間にコイルバネ１１が介在されていることから、ロックオンスイッチ９は、常態ではバネ受片２１が角孔２０の下端に当接する図１，２の下限位置（押圧解除位置）へ付勢される。なお、ロックプレート８の延設片１６，１６は、コイルバネ１１の左右にあってコイルバネ１１の位置決めを行う規制片を兼ねている。
【００１３】
さらにここでは、ロックプレート８及びロックオンスイッチ９が共に下限位置の場合は、バネ受片２１が連結板１７の開口上端に当接する設定となっている。よって、操作部１９を利用してロックオンスイッチ９を上方（押圧位置）へスライドさせると、バネ受片２１に押圧されてロックプレート８も同時に上方へスライドし、係合部１３をスイッチレバー５の上方へ突出させることとなる。
一方、ハウジング２の内面における開口部４の上端際には、被係合部としての突条２２が横方向に突設されており、上方へ突出したロックプレート８の係合部１３が係合可能となっている。但し、この係合状態でロックオンスイッチ９が下限位置に復帰しても、バネ受片２１が連結板１７の開口下端に当接するのみで、ロックプレート８の係合に干渉しないようになっている。
【００１４】
以上の如く構成されたアングルドリル１においては、まず通常の使用では、スイッチレバー５を突出位置から押込み操作すると、スイッチがＯＮしてモータが駆動し、スピンドル３を回転させて先端に装着したビットによって穿孔作業等が可能となる。スイッチレバー５の押込みを解除すると、スイッチレバー５が突出位置へ復帰してスイッチがＯＦＦし、モータ及びスピンドル３の回転が停止する。ここでロックプレート８及びロックオンスイッチ９は、夫々コイルバネ１０，１１の付勢によって下限位置にあり、ロックプレート８は突出していないため、スイッチレバー５の操作に何等影響を与えない。
【００１５】
そして、スイッチレバー５を押込んだ状態で、ロックオンスイッチ９をコイルバネ１１の付勢に抗して上方へスライドさせると、図４，５に示すように、連結板１７に当接するバネ受片２１がロックプレート８を上昇させて係合部１３をスイッチレバー５の上方へ突出させる。よって、係合部１３はハウジング２の裏側に入り込み、スイッチレバー５の押込みを緩めると、係合部１３がハウジング２に当接して突条２２に係合可能な状態となる。
ここでロックオンスイッチ９のスライドを解除すると、コイルバネ１１の付勢によってロックオンスイッチ９は下限位置へ復帰する。よって、バネ受片２１による押圧が解かれたロックプレート８もコイルバネ１０の付勢により下限位置へ復帰しようとするが、係合部１３が突条２２に係合してスライドを阻止されると共に、ロックプレート８にはスイッチレバー５への突出付勢によって右回転方向への付勢力が働くため、図６，７に示すように、ロックプレート８はロックオンスイッチ９と離れて当該位置で停止する。よって、スイッチレバー５から手を離しても、スイッチレバー５はロックプレート８の係合によって突出位置への復帰を阻止され、この第１の押込み位置での状態が保持される（ロックオン）。
【００１６】
一方、このロックオンを解除する際には、スイッチレバー５を第１の押込み位置からハウジング２側へ少し押し込めば（第２の押込み位置）、ロックプレート８の係合部１３が突条２２から離れ、コイルバネ１０の付勢によって下限位置に復帰する。よって、そのままスイッチレバー５を突出位置に復帰させてスイッチをＯＦＦさせることができる。勿論ロックオンスイッチ９を操作する必要はない。
【００１７】
このように上記形態１のアングルドリル１によれば、スイッチレバー５に、スイッチレバー５の押込み方向と交差する方向でスイッチレバー５から出没可能なロックプレート８と、スイッチレバー５の表面側で露出し、ロックプレート８を突出させる押圧位置と、ロックプレート８の没入を許容する押圧解除位置との間でスライド可能なロックオンスイッチ９と、ロックプレート８を没入位置へ、ロックオンスイッチ９を押圧解除位置へ夫々付勢するコイルバネ１０，１１とを設ける一方、ハウジング２に、スイッチレバー５の第１の押込み位置で突出したロックプレート８が係合可能で、第１の押込み位置よりも深い第２の押込み位置でロックプレート８が離脱可能な突条２２を設けて、スイッチレバー５の第１の押込み位置でロックオンスイッチ９を押圧位置へスライドさせることで、ロックプレート８を突出させて突条２２と係合させ、スイッチレバー５を第１の押込み位置で保持可能とする一方、その保持状態では、ロックオンスイッチ９のみを単独で押圧解除位置へ復帰可能としたことで、ロックオンスイッチ９を操作したり、その位置を気にしたりする必要がなく、スイッチレバー５の押込みによってロックオンを簡単に解除できる。よって、所望のタイミングで加工を確実に停止でき、使い勝手に優れる。
【００１８】
《形態２》
次に、第２発明に対応する実施の形態を説明する。但し、上記形態１と同じ構成部は同じ符号を付して重複する説明は省略する。
上記形態１では、ロックプレート８に設けた係合部１３とハウジング２に設けた突条２２との係合によってスイッチレバー５を第１の押込み位置で保持可能としているが、ここでは、図８に示すように、係合部１３と突条２２とをなくして、第１の押込み位置で突出させたロックプレート８の端部８ａをハウジング２の内面に当接させるようにしたものである。よって、同図（Ａ）に二点鎖線で示すようにロックオンスイッチ９が下限位置に復帰しても、そのままスイッチレバー５への突出付勢を利用して、ロックプレート８の端部８ａがハウジング２の内面２ａに押圧されるため、端部８ａと内面２ａとの摩擦も加わってスイッチレバー５の保持が可能となっている。但し、この場合、ロックプレート８を付勢するコイルバネ１０の付勢力を、スイッチレバー５を突出付勢するプランジャの付勢力よりも小さく設定する必要がある。
【００１９】
よって、この形態２においても、ロックオンスイッチ９を操作したり、その位置を気にしたりする必要がなく、スイッチレバー５の押込みによってロックオンを簡単且つ確実に解除でき、使い勝手に優れるという上記形態１と同じ効果が得られる。特にここでは、ロックプレート８はハウジング２と係合しないため、ロックプレート８やハウジング２の形状変更が少なくなる上、スイッチレバー５の僅かな押込みで確実にロックオンを解除できるという利点もある。
【００２０】
なお、スイッチ部材やロック部材、操作部材、付勢手段は、夫々上記形態１，２に限定するものではなく、スイッチ部材は枢着による回転形態に限らず、スイッチのプランジャに直結されて直線的に押込み操作するものでも良いし、ロック部材や操作部材も、棒状体等に形状変更する他、スイッチ部材の押込み方向と交差する方向であれば、例えばスイッチレバーの短手方向でスライドさせてロックオン機構を構成することもできる。また、ロック部材や操作部材は、直線的なスライドではなく、夫々スイッチ部材へ回転可能に枢着等してトーションスプリング等の付勢手段で元位置に付勢し、回転スライドによってロックオンを得る構造も考えられる。さらに、付勢手段も、板バネや弾性部材等の他の構造も採用可能である。
その他、電動工具も、スイッチ部材にロックオン機能が付されるものであれば、アングルドリルに限らず、他の穿孔工具や切断工具等にも本発明は適用可能である。
【図面の簡単な説明】
【００２１】
【図１】形態１のアングルドリルの全体図である。
【図２】（Ａ）は図１におけるスイッチレバーの上端部分の拡大断面図、（Ｂ）はハウジング内部側から見た拡大説明図である。
【図３】（Ａ）はスイッチレバーにおけるロックプレート部分の横断面図、（Ｂ）はロックオンスイッチ部分の横断面図である。
【図４】ロックオンの手順を示すアングルドリルの全体図である。
【図５】（Ａ）は図４におけるスイッチレバーの上端部分の拡大断面図、（Ｂ）はハウジング内部側から見た拡大説明図である。
【図６】ロックオン状態のアングルドリルの全体図である。
【図７】（Ａ）は図６におけるスイッチレバーの上端部分の拡大断面図、（Ｂ）はハウジング内部側から見た拡大説明図である。
【図８】（Ａ）は形態２におけるスイッチレバーの上端部分の拡大断面図、（Ｂ）はハウジング内部側から見た拡大説明図である。
【符号の説明】
【００２２】
１‥アングルドリル、２‥ハウジング、３‥スピンドル、４‥開口部、５‥スイッチレバー、６‥枢着軸、７‥リンク、８‥ロックプレート、９‥ロックオンスイッチ、１０，１１‥コイルバネ、１２‥スリット、１３‥係合部、１４‥バネ受部、１５‥ストッパ、１６‥延設片、１７‥連結板、１８‥規制片、１９‥操作部、２０‥角孔、２１‥バネ受片、２２‥突条。
【図１】
2005169588.tif 000003
【図２】
2005169588.tif 000004
【図３】
2005169588.tif 000005
【図４】
2005169588.tif 000006
【図５】
2005169588.tif 000007
【図６】
2005169588.tif 000008
【図７】
2005169588.tif 000009
【図８】
2005169588.tif 000010